(57)【要約】【課題】  ファクシミリ装置側が公衆電話回線を開放した際に、外付電話機が公衆電話回線を閉結しているもとの誤判定してしまうことを防止する。【解決手段】  回線開放時電圧調査処理時に検出した回線電圧が判定電圧Ｖｔより小さい場合においては、ファクシミリ回路が公衆電話回線を開放したときの検出回線電圧Ｖｃが開放時回線電圧Ｖｍと同一電圧であるときには、ファクシミリ回路が公衆電話回線を開放した時から所定時間Ｔｍが経過したときに、検出回線電圧Ｖｃと判定電圧Ｖｔとを比較して、外付電話機３が公衆電話回線を閉結しているか否かを判定する。これにより、仮に、外付電話機が公衆電話回線を閉結しているときの回線電圧と回線開放時電圧Ｖｍとが同一であっても、外付電話機が公衆電話回線を開放しているのにも拘わらず、外付電話機が公衆電話回線を閉結してものと誤判定してしまうことを未然に防止できる。【選択図】  図５
2006270743.tif 000002
【特許請求の範囲】
【請求項１】
公衆電話回線に接続された電話機と並列に前記公衆電話回線に接続されるファクシミリ装置であって、
前記公衆電話回線を介して画像データを送受信するファクシミリ回路と、
前記公衆電話回線の回線電圧を検出する電圧検出手段と、
信号の送受信とは無関係に前記公衆電話回線を閉結した後に前記公衆電話回線を開放するとともに、その開放した時の回線電圧を検出する開放電圧検出手段と、
前記電圧検出手段が検出した検出回線電圧に基づいて前記電話機が前記公衆電話回線を閉結しているか開放しているかを判定する外付電話使用状態監視手段と、
前記外付電話使用状態監視手段により前記電話機が前記公衆電話回線を閉結していると判定された場合に、前記電話機が使用中である旨の警告を発する警告手段とを有し、
前記開放電圧検出手段が検出した開放時回線電圧と基準電圧との電圧差が所定電圧差より小さい場合において、前記外付電話使用状態監視手段は、
前記ファクシミリ回路が前記公衆電話回線を開放したときの前記検出回線電圧と前記基準電圧との電圧差が前記所定電圧差より小さいときに前記電話機が前記公衆電話回線を開放していると判定し、
一方、前記ファクシミリ回路が前記公衆電話回線を開放したときの前記検出回線電圧と前記基準電圧との電圧差が前記所定電圧差以上のときに前記電話機が前記公衆電話回線を閉結していると判定し、
さらに、前記開放時回線電圧と前記基準電圧との電圧差が前記所定電圧差以上である場合において、前記外付電話使用状態監視手段は、
前記ファクシミリ回路が前記公衆電話回線を開放したときの前記検出回線電圧と前記基準電圧との電圧差が前記所定電圧差より小さいとき、又は前記ファクシミリ回路が前記公衆電話回線を開放したときの前記検出回線電圧が前記開放時回線電圧と同一電圧であるときに前記電話機が前記公衆電話回線を開放していると判定し、
一方、前記ファクシミリ回路が前記公衆電話回線を開放したときの前記検出回線電圧と前記基準電圧との電圧差が前記所定電圧差以上であり、かつ、前記ファクシミリ回路が前記公衆電話回線を開放したときの前記検出回線電圧が前記開放時回線電圧と異なるときに前記電話機が前記公衆電話回線を閉結していると判定することを特徴とするファクシミリ装置。
【請求項２】
公衆電話回線に接続された電話機と並列に前記公衆電話回線に接続されるファクシミリ装置であって、
前記公衆電話回線を介して画像データを送受信するファクシミリ回路と、
前記公衆電話回線の回線電圧を検出する電圧検出手段と、
信号の送受信とは無関係に前記公衆電話回線を閉結した後に前記公衆電話回線を開放するとともに、その開放した時の回線電圧を検出する開放電圧検出手段と、
前記電圧検出手段が検出した検出回線電圧に基づいて前記電話機が前記公衆電話回線を閉結しているか開放しているかを判定する外付電話使用状態監視手段と、
前記外付電話使用状態監視手段により前記電話機が前記公衆電話回線を閉結していると判定された場合に、前記電話機が使用中である旨の警告を発する警告手段とを有し、
前記ファクシミリ回路が前記公衆電話回線を開放したときに前記開放電圧検出手段が検出した開放時回線電圧と基準電圧との電圧差が所定電圧差以下の場合において、前記外付電話使用状態監視手段は、
前記ファクシミリ回路が前記公衆電話回線を開放したときの前記検出回線電圧と前記基準電圧との電圧差が前記所定電圧差より小さいときに前記電話機が前記公衆電話回線を開放していると判定し、
一方、前記ファクシミリ回路が前記公衆電話回線を開放したときの前記検出回線電圧と前記基準電圧との電圧差が前記所定電圧差以上のときに前記電話機が前記公衆電話回線を閉結していると判定し、
また、前記開放時回線電圧と前記基準電圧との電圧差が前記所定電圧差より大きい場合において、前記外付電話使用状態監視手段は、
前記ファクシミリ回路が前記公衆電話回線を開放したときの前記検出回線電圧と前記基準電圧との電圧差が前記所定電圧差より小さいときに前記電話機が前記公衆電話回線を開放していると判定し、
一方、前記ファクシミリ回路が前記公衆電話回線を開放したときの前記検出回線電圧と前記基準電圧との電圧差が前記所定電圧差以上であり、かつ、前記ファクシミリ回路が前記公衆電話回線を開放したときの前記検出回線電圧が前記開放時回線電圧と異なるときに前記電話機が前記公衆電話回線を閉結していると判定し、
さらに、前記開放時回線電圧と前記基準電圧との電圧差が前記所定電圧差より大きい場合であって、かつ、前記ファクシミリ回路が前記公衆電話回線を開放したときの前記検出回線電圧が前記開放時回線電圧と同一電圧であるときにおいて、前記外付電話使用状態監視手段は、
前記ファクシミリ回路が前記公衆電話回線を開放した時から所定時間が経過したときの前記検出回線電圧と前記基準電圧との電圧差が前記所定電圧差より小さいときに前記電話機が前記公衆電話回線を開放していると判定し、
一方、前記ファクシミリ回路が前記公衆電話回線を開放した時から所定時間が経過したときの前記検出回線電圧と前記基準電圧との電圧差が前記所定電圧差以上のときに前記電話機が前記公衆電話回線を閉結していると判定する
ことを特徴とするファクシミリ装置。
【請求項３】
前記所定時間は、前記ファクシミリ回路が前記公衆電話回線を開放した時を基準として検出し始めた回線電圧と前記基準電圧との電圧差が、前記所定電圧差より小さくなるまでの所要時間以上であることを特徴とする請求項２に記載のファクシミリ装置。
【請求項４】
前記ファクシミリ回路に接続される前記公衆電話回線の種類を判別する回線自動判別手段と、
前記回線自動判別手段が作動したときのみ前記開放電圧検出手段を作動させる開放電圧検出開始手段とを有することを特徴とする請求項１ないし３のいずれか１つに記載のファクシミリ装置。
【発明の詳細な説明】
【技術分野】
【０００１】
本発明は、公衆電話回線に接続された電話機と並列に公衆電話回線に接続されるファクシミリ回路を有するファクシミリ装置に関するものであり、特に、ファクシミリ機能に加えて、プリンタ機能やスキャナ機能等が負荷された多機能型のファクシミリ装置に適用して有効である。
【背景技術】
【０００２】
ファクシミリ装置は、電話機と同様に、公衆電話回線を介して画像データ信号を送受信するものである。このため、一般的に、電話機とファクシミリ装置とは、互いに公衆電話回線に対して並列に接続される（例えば、特許文献１参照）。
【０００３】
しかし、電話機とファクシミリ装置とを同時に公衆電話回線に接続することはできないため、特許文献１に記載されているように、ファクシミリ装置側にて公衆電話回線の回線電圧を監視（検出）するとともに、ファクシミリ装置自体が信号を送受信していない場合、つまりファクシミリ装置が公衆電話回線を開放している場合において回線電圧が所定電圧以下となったときに、ファクシミリ装置と並列に公衆電話回線に接続された電話機（以下、外付電話機と言う。）が公衆電話回線を閉結している状態（フックアップ状態）であると判定し、逆に、ファクシミリ装置が公衆電話回線を開放している場合において回線電圧が所定電圧より高くなったときに、外付電話機が公衆電話回線を開放している状態（フックダウン状態）であると判定している。
【特許文献１】特開２００４−２０７８０９号公報
【発明の開示】
【発明が解決しようとする課題】
【０００４】
ところで、公衆電話回線とファクシミリ装置及び外付電話機との間に、内線交換機（Ｐｒｉｖａｔｅ  Ｂｒａｎｃｈ  Ｅｘｃｈａｎｇｅ）やターミナルアダプタ等の回線接続装置が配置されると、以下に述べる理由により外付電話機が公衆電話回線を開放しているか閉結しているかを正確に判定することができない場合がある。
【０００５】
すなわち、公衆電話回線とファクシミリ装置及び外付電話機との間に回線接続装置が設けられていない場合には、図８に示すように、ファクシミリ装置又は外付電話機が送受信可能な状態となると、公衆電話回線が閉結されて回線電圧が待機電圧Ｖｒから所定の電圧まで低下する。そして、公衆電話回線が開放されると、回線電圧が待機電圧Ｖｒまで復帰（上昇）する。
【０００６】
したがって、通常は、前述したように、回線電圧が所定電圧Ｖｔ以下となったときに、外付電話機が公衆電話回線を閉結している状態（フックアップ状態）であると判定し、逆に、ファクシミリ装置が公衆電話回線を開放している場合において回線電圧が所定電圧Ｖｔより高くなったときに、外付電話機が公衆電話回線を開放している状態（フックダウン状態）であると判定している。
【０００７】
しかし、公衆電話回線とファクシミリ装置及び外付電話機との間に回線接続装置が設けられている場合には、図９に示すように、ファクシミリ装置が公衆電話回線を開放しても、回線電圧は直ぐに待機電圧Ｖｒに復帰することなく、所定電圧Ｖｔより低い中間電圧を所定時間維持した後、待機電圧Ｖｒに復帰する場合がある。
【０００８】
このため、ファクシミリ装置が公衆電話回線を開放しても、回線電圧が所定電圧Ｖｔにより低い中間電圧に保持されるため、実際には、外付電話機は公衆電話回線を開放しているのにも拘わらず、ファクシミリ装置は、外付電話機が公衆電話回線を閉結しているもとの誤判定してしまう。
【０００９】
延いては、ファクシミリ装置は、実際には、外付電話機は公衆電話回線を開放しているのにも拘わらず、外付電話機が使用中である旨の警告を誤って表示してしまうので、ユーザは、ファクシミリ装置に故障が発生したものと誤認してしまう。
【００１０】
本発明は、上記点に鑑み、ファクシミリ装置側が公衆電話回線を開放した際に、外付電話機が公衆電話回線を閉結しているもとの誤判定してしまうことを防止することを目的とする。
【課題を解決するための手段】
【００１１】
本発明は、上記目的を達成するために、請求項１に記載の発明では、公衆電話回線に接続された電話機と並列に公衆電話回線に接続されるファクシミリ装置であって、公衆電話回線を介して画像データを送受信するファクシミリ回路と、公衆電話回線の回線電圧を検出する電圧検出手段と、信号の送受信とは無関係に公衆電話回線を閉結した後に公衆電話回線を開放するとともに、その開放した時の回線電圧を検出する開放電圧検出手段と、電圧検出手段が検出した検出回線電圧に基づいて電話機が公衆電話回線を閉結しているか開放しているかを判定する外付電話使用状態監視手段と、外付電話使用状態監視手段により電話機が公衆電話回線を閉結していると判定された場合に、電話機が使用中である旨の警告を発する警告手段とを有し、開放電圧検出手段が検出した開放時回線電圧と基準電圧との電圧差が所定電圧差より小さい場合において、外付電話使用状態監視手段は、ファクシミリ回路が公衆電話回線を開放したときの検出回線電圧と基準電圧との電圧差が所定電圧差より小さいときに電話機が公衆電話回線を開放していると判定し、一方、ファクシミリ回路が公衆電話回線を開放したときの検出回線電圧と基準電圧との電圧差が所定電圧差以上のときに電話機が公衆電話回線を閉結していると判定し、さらに、開放時回線電圧と基準電圧との電圧差が所定電圧差以上である場合において、外付電話使用状態監視手段は、ファクシミリ回路が公衆電話回線を開放したときの検出回線電圧と基準電圧との電圧差が所定電圧差より小さいとき、又はファクシミリ回路が公衆電話回線を開放したときの検出回線電圧が開放時回線電圧と同一電圧であるときに電話機が公衆電話回線を開放していると判定し、一方、ファクシミリ回路が公衆電話回線を開放したときの検出回線電圧と基準電圧との電圧差が所定電圧差以上であり、かつ、ファクシミリ回路が公衆電話回線を開放したときの検出回線電圧が開放時回線電圧と異なるときに電話機が公衆電話回線を閉結していると判定することを特徴とする。
【００１２】
前述のごとく、誤判定の原因は、ファクシミリ装置が公衆電話回線を開放しても、回線電圧が所定電圧Ｖｔにより低い中間電圧に保持されるためである。
これに対して、請求項１に記載の発明では、開放時回線電圧と基準電圧との電圧差が所定電圧差以上である場合、上記例に準えれば、開放時回線電圧が所定電圧Ｖｔにより低い中間電圧に保持される場合には、ファクシミリ回路が公衆電話回線を開放したときの検出回線電圧が開放時回線電圧と同一電圧であるときに電話機が公衆電話回線を開放していると判定するので、ファクシミリ回路が公衆電話回線を開放したときの検出回線電圧が上記中間電圧であるときに、外付電話機は公衆電話回線を開放しているのにも拘わらず、外付電話機が公衆電話回線を閉結しているものと誤判定してしまうことを防止できる。
【００１３】
なお、図８及び図９に示されるように、通常は、公衆電話回線が閉結されると回線電圧が低下し、逆に、公衆電話回線が開放されると回線電圧が上昇することを利用して公衆電話回線が開放されたか閉結されたかを監視している。これは、換言すれば、基準電圧である待機電圧Ｖｒとの電圧差に基づいて公衆電話回線が開放されたか閉結されたかを監視していることである。
【００１４】
したがって、本発明及び以下の発明では、基準電圧からの電圧低下に基づいて公衆電話回線が開放されたか閉結されたかを監視する場合は勿論のこと、基準電圧からの電圧上昇に基づいて公衆電話回線が開放されたか閉結されたかを監視する場合も含まれるものである。
【００１５】
なお、本発明及び以下の発明において、「検出回線電圧が開放時回線電圧と同一電圧である」とは、厳密に検出回線電圧が開放時回線電圧と同一であるというものではなく、開放時回線電圧を含む所定範囲内に検出電圧が含まれることを意味するものである。
【００１６】
同様に、「検出回線電圧が開放時回線電圧と異なるとは、厳密に検出回線電圧が開放時回線電圧と相違するというものではなく、開放時回線電圧を含む所定範囲内に検出電圧が含まれないことを意味するものである。
【００１７】
請求項２に記載の発明では、公衆電話回線に接続された電話機と並列に公衆電話回線に接続されるファクシミリ装置であって、公衆電話回線を介して画像データを送受信するファクシミリ回路と、公衆電話回線の回線電圧を検出する電圧検出手段と、信号の送受信とは無関係に公衆電話回線を閉結した後に公衆電話回線を開放するとともに、その開放した時の回線電圧を検出する開放電圧検出手段と、電圧検出手段が検出した検出回線電圧に基づいて電話機が公衆電話回線を閉結しているか開放しているかを判定する外付電話使用状態監視手段と、外付電話使用状態監視手段により電話機が公衆電話回線を閉結していると判定された場合に、電話機が使用中である旨の警告を発する警告手段とを有し、ファクシミリ回路が公衆電話回線を開放したときに開放電圧検出手段が検出した開放時回線電圧と基準電圧との電圧差が所定電圧差以下の場合において、外付電話使用状態監視手段は、ファクシミリ回路が公衆電話回線を開放したときの検出回線電圧と基準電圧との電圧差が所定電圧差より小さいときに電話機が公衆電話回線を開放していると判定し、一方、ファクシミリ回路が公衆電話回線を開放したときの検出回線電圧と基準電圧との電圧差が所定電圧差以上のときに電話機が公衆電話回線を閉結していると判定し、また、開放時回線電圧と基準電圧との電圧差が所定電圧差より大きい場合において、外付電話使用状態監視手段は、ファクシミリ回路が公衆電話回線を開放したときの検出回線電圧と基準電圧との電圧差が所定電圧差より小さいときに電話機が公衆電話回線を開放していると判定し、一方、ファクシミリ回路が公衆電話回線を開放したときの検出回線電圧と基準電圧との電圧差が所定電圧差以上であり、かつ、ファクシミリ回路が公衆電話回線を開放したときの検出回線電圧が開放時回線電圧と異なるときに電話機が公衆電話回線を閉結していると判定し、さらに、開放時回線電圧と基準電圧との電圧差が所定電圧差より大きい場合であって、かつ、ファクシミリ回路が公衆電話回線を開放したときの検出回線電圧が開放時回線電圧と同一電圧であるときにおいて、外付電話使用状態監視手段は、ファクシミリ回路が公衆電話回線を開放した時から所定時間が経過したときの検出回線電圧と基準電圧との電圧差が所定電圧差より小さいときに電話機が公衆電話回線を開放していると判定し、一方、ファクシミリ回路が公衆電話回線を開放した時から所定時間が経過したときの検出回線電圧と基準電圧との電圧差が所定電圧差以上のときに電話機が公衆電話回線を閉結していると判定することを特徴とする。
【００１８】
ところで、仮に、外付電話機が公衆電話回線を閉結したときの回線電圧が上記の中間電圧と同一の場合には、回線接続装置の影響でファクシミリ回路が公衆電話回線を開放したときの検出回線電圧が中間電圧と同一となったのか、又は実際に外付電話機が使用中であるために、ファクシミリ回路が公衆電話回線を開放したときの検出回線電圧が中間電圧と同一となったのかを判別することができないので、ファクシミリ回路が公衆電話回線を開放したときの検出回線電圧が開放時回線電圧と同一電圧であるときに外付電話機が公衆電話回線を開放しているか否かを判定すると、誤判定してしまうおそれがある。
【００１９】
これに対して、本発明では、ファクシミリ回路が公衆電話回線を開放したときの検出回線電圧が開放時回線電圧と同一電圧であるときは、ファクシミリ回路が公衆電話回線を開放した時から所定時間が経過したときの検出回線電圧と基準電圧との電圧差が所定電圧差より小さいときに電話機が公衆電話回線を開放していると判定し、一方、ファクシミリ回路が公衆電話回線を開放した時から所定時間が経過したときの検出回線電圧と基準電圧との電圧差が所定電圧差以上のときに電話機が公衆電話回線を閉結していると判定するので、外付電話機が公衆電話回線を閉結したときの回線電圧が上記の中間電圧と同一の場合であっても、外付電話機は公衆電話回線を閉結しているのか又は開放しているのかを確実に判定することができる。
【００２０】
したがって、ファクシミリ回路が公衆電話回線を開放したときの検出回線電圧が上記中間電圧であるときに、外付電話機は公衆電話回線を開放しているのにも拘わらず、外付電話機が公衆電話回線を閉結しているものと誤判定してしまうことを防止できる。
【００２１】
請求項３に記載の発明では、所定時間は、ファクシミリ回路が公衆電話回線を開放した時を基準として検出し始めた回線電圧と基準電圧との電圧差が、所定電圧差より小さくなるまでの所要時間以上であることを特徴とする。
【００２２】
前述のごとく、回線接続器は、ファクシミリ回路が公衆電話回線を開放したときに、所定時間だけ中間電圧を維持する。
したがって、本発明のごとく、所定時間を、ファクシミリ回路が公衆電話回線を開放した時を基準として検出し始めた回線電圧と基準電圧との電圧差が所定電圧差より小さくなるまでの所要時間以上の所定時間とすれば、外付電話機が公衆電話回線を閉結しているのか又は開放しているのかを確実に判定することができる。
【００２３】
ところで、公衆電話回線には、いわゆるプッシュフォン回線及びダイヤル回線等があり、回線の種類によっては、送信されるデータ形式が異なる。そこで、通常、ファクシミリ装置を公衆電話回線に接続する際には、いずれの種類の電話回線であるかを調べた上で接続する必要がある。
【００２４】
そして、いずれの種類の公衆電話回線であるかを調べる際に、外付電話機が公衆電話回線を閉結していると、いずれの種類の公衆電話回線であるかを調べることができないので、いずれの種類の公衆電話回線であるかを調べる際には、外付電話機が公衆電話回線を開放していることを確認した上でする必要がある。
【００２５】
また、開放電圧検出手段にて開放時回線電圧を検出する際に、外付電話機が公衆電話回線を閉結していると、正確な開放時回線電圧を検出することができない。
これに対して、請求項４に記載の発明では、ファクシミリ回路に接続される公衆電話回線の種類を判別する回線自動判別手段を有し、回線自動判別手段が作動したときのみ開放電圧検出手段を作動させるので、外付電話機が公衆電話回線を開放しているときに、開放時回線電圧を検出することができる。したがって、正確な開放時回線電圧を検出することができるので、外付電話機は公衆電話回線を閉結しているのか又は開放しているのかを確実に判定することができる。
【発明を実施するための最良の形態】
【００２６】
以下に本発明の実施形態を図面と共に説明する。
（第１実施形態）
図１は、本発明の実施形態に係るファクシミリ装置１の電気的構成を示したブロック図であり、図２は回線Ｉ／Ｆ部１９のブロック図である。
【００２７】
ファクシミリ装置１には、図１に示すように、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、及び復号化部２４等から構成されるファクシミリ回路、並びにプリンタ２５、操作パネル４、ＬＣＤ（液晶表示パネル）５及びアンプ２７が設けられており、これらがバスライン３０を介して互いに接続されている。
【００２８】
なお、ＬＣＤ５は、ＣＰＵ１１から指令信号に基づいて、様々な情報を文字又は画像を通じてユーザに向けて発するものであり、その情報としては、例えば、ファクシミリ回路に対して並列に公衆電話回線３２に接続された外付電話機３が使用中である旨、又はＦＡＸデータを送受信中である旨等が挙げられる。したがって、本実施形態では、ＬＣＤ５が、特許請求の範囲に記載された警告手段に相当する。
【００２９】
回線Ｉ／Ｆ部１９は、回線制御を行うためのものであり、図２に示すように、半導体化ＤＡＡ３３を有して構成されており、この回線Ｉ／Ｆ部１９は、交換機２９から送られる呼出信号（リング信号）や相手側装置の電話番号（発信者番号）を示す信号等の各種信号を受信するとともに、操作パネル４上のキーの操作に応じた発信時のダイヤル信号を交換機２９へ送信する。
【００３０】
また、回線Ｉ／Ｆ部１９には、外付電話機３をファクシミリ回路に対して並列に公衆電話回線３２に接続するための外付電話端子Ｔ１、Ｔ２が設けられており、ファクシミリ装置１（ファクシミリ回路）及び外付電話機３は、この回線Ｉ／Ｆ部１９を介して電話回線３１に接続される。
【００３１】
なお、ＣＰＵ１１は、回線Ｉ／Ｆ部１９を介して送受信される各種信号に従って、バスライン３０により接続された各部を制御し、ファクシミリ動作、すなわち、画像データ等の送受信（データ通信）を実行するものである。ＲＯＭ１２は、このファクシミリ装置１で実行される制御プログラム等を格納した書換不能記憶装置であり、このＲＯＭ１２には、図３〜図５に示されるフローチャートを実行するプログラムが格納されている。
【００３２】
ＲＡＭ１４は、ファクシミリ装置１の各動作の実行時に各種のデータを一時的に記憶するための随時読込書換可能記憶装置であり、このＲＡＭ１４は、回線電圧値メモリ１４ａ及び判定値メモリ１４ｂ等から構成されている。
【００３３】
回線電圧値メモリ１４ａは、電話回線３１の開放時、すなわち半導体化ＤＡＡ３３において、回線網を制御するための直流回路が開放された状態である時に半導体化ＤＡＡ３３に供給される電圧値を記憶するメモリであり、この回線電圧値メモリ１４ａは、電話回線３１の開放時において、電圧検出回路３４（図２参照）により検出された電圧値を、その検出順に記憶する。因みに、電圧検出回路３４は、公衆電話回線の回線電圧を検出する電圧検出手段を構成するものである。
【００３４】
なお、本実施形態に係る回線電圧メモリは、複数個（例えば、１０個）の電圧値を記憶することができ、この回線電圧値メモリ１４ａに記憶された複数個の電圧値は、その記憶された複数個の電圧値の平均値が算出された後、回線電圧値メモリ１４ａから消去される。そして、その算出された電圧値の平均値が定常時の待機電圧値Ｖｒとして、後述する定常電圧値メモリ１３ａに記憶される。
【００３５】
また、判定値メモリ１４ｂは、外付電話機３がフックアップ状態であるか又はフックダウン状態であるかを判定するための判断基準値となる判定電圧Ｖｔを記憶するメモリである。この判定電圧Ｖｔは、図８又は図９に示すように、電話回線３１が開放状態である場合における回線電圧の基準電圧よりも小さく、かつ、基準電圧との電圧差が所定の電圧差ΔＶ以上となる電圧値である。因みに、本実施形態では、基準電圧として、前記の待機電圧値Ｖｒを採用している。
【００３６】
なお、付電話機３がフックアップ状態であるか又はフックダウン状態であるかを判定方法の詳細は、後述する。
また、図１中、ＥＥＰＲＯＭ１３は、定常電圧値メモリ１３ａ及び閾値メモリ１３ｂを有するとともに、ファクシミリ装置１の電源オフ後も書き込まれた（記憶された）データが保持される、書換可能な不揮発性記憶装置である。
【００３７】
定常電圧値メモリ１３ａは、上記回線電圧値メモリ１４ａに記憶された１０個分の電圧値の平均値である待機電圧値Ｖｒを記憶するためのメモリであり、この定常電圧値メモリ１３ａは、回線電圧値メモリ１４ａに１０個の電圧値が記憶されると、その１０個の電圧値から算出される平均値により更新されるので、電話回線３１が開放状態である間は定期的に更新される。
【００３８】
閾値メモリ１３ｂは、外付電話機３のフックアップを判定するため判定電圧Ｖｔを算出するための係数Ｃｔ（例えば、０．５）及び後述する回線開放時電圧Ｖｍを記憶する記憶装置である。つまり、本実施形態において判定電圧Ｖｔは、定常電圧値メモリ１３ａに記憶された待機電圧値Ｖｒに、閾値メモリ１３ｂに記憶された係数Ｃｔを乗算した値として算出された後、判定値メモリ１４ｂに記憶される。因みに、本実施形態では、閾値メモリ１３ｂに記憶される係数Ｃｔは、ユーザやサービスマンが操作パネル４を操作することにより、変更することができる。
【００３９】
画像メモリ１５は、通信履歴、画像データ及び印刷のためのビットイメージを記憶するための記憶装置であり、安価な大容量メモリであるダイナミックＲＡＭ（ＤＲＡＭ）により構成されている。そして、受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００４０】
モデム２０は、画情報及び通信データを変調及び復調して伝送するとともに、伝送制御用の各種手順信号を送受信するためのものである。バッファ２１は、相手側装置との間で送受信される符号化された画情報を含むデータを一時的に記憶するためのものである。
【００４１】
スキャナ２２は、原稿挿入口に挿入された原稿を画像データとして読み取るためのものであり、原稿搬送用モータを備えている。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。アンプ２７は、そのアンプ２７に接続されたスピーカ２８を鳴動して、呼出音や音声を出力するためのものである。
【００４２】
因みに、本実施形態に係るプリンタ２５は、記録紙を搬送する記録紙用搬送モータ、印字ヘッドを搭載したキャリッジを移動させるキャリッジモータ、及び記録紙へインクを吐出する印字ヘッド等を備えた、周知のインクジェット方式のプリンタで構成されている。
【００４３】
このように構成されたファクシミリ装置１は、回線Ｉ／Ｆ１９を介して、電話回線３１に接続されている。この電話回線３１は、本ファクシミリ装置１の交換機２９に接続され、この交換機２９は公衆電話回線３２に接続される。
【００４４】
半導体化ＤＡＡ３３は、図２に示すように、主に回線終端、ハイブリット、リング信号の検出等の機能を持っている。そして、半導体化ＤＡＡ３３とモデム２０との間には、半導体化ＤＡＡ３３とモデム２０とを直流的に絶縁し、かつ、データ及び信号等を伝達する絶縁部である絶縁部３５が介在している。
【００４５】
また、回線Ｉ／Ｆ部１９のうち、半導体化ＤＡＡ３３の以外の構成部品としては、ＴＥＬ（音声通信）とＦＡＸ（画像通信）とを切り換えるためＣｏｎｎｅｃｔ  ＭＯＤＥＭ  ｔｏ  Ｌｉｎｅリレー３６（以下、ＣＭＬリレー３６と記す。）、整流器３７、及び直流ループカット用コンデンサ３８ａ、３８ｂ、３８ｃ、３８ｄ等が設けられている。なお、Ｌ１、Ｌ２は電話回線３１側への端子であり、Ｔ１、Ｔ２は外付電話機３側への端子である。
【００４６】
因みに、ＦＡＸデータのＡ／Ｄ変換、Ｄ／Ａ変換を行うＣＯＤＥＣ４０が半導体化ＤＡＡ３３に設けられているので、絶縁部３５はディジタル伝達になる。このため、本実施形態では、絶縁部３５に高絶縁のコンデンサ３５ａ、３５ｂが用いられる。
【００４７】
ＣＭＬリレー３６は、待機時においては、図２に示すように、外付電話機３側に閉結されており、ＦＡＸ通信が始まると、混線を防止すべく、ＣＰＵ１１は、ＣＭＬリレー制御信号をオフにして外付電話機３を公衆電話回線３２から開放する。
【００４８】
整流器３７は、回線網の直流ループ電流の極性を一方向へ整流するものである。半導体化ＤＡＡ３３の電源は、トランス４６を通してモデム２０側から供給され、整流器３７により整流されて電話回線３１の電圧極性に関係なく一定極性の電圧になる。電圧検出回路３４は整流器３７により整流されて半導体ＤＡＡ３３に供給される電圧を検出するものであり、図２に示すように、整流器３７とハイブリッドネットワーク４４とを結ぶ接続線とＣＯＤＥＣ４０とに接続されている。電圧検出回路３４による検出結果は、半導体化ＤＡＡ３３から、モデム２０を介して、ＣＰＵ１１へ出力される。
【００４９】
ハイブリットネットワーク４４は、回線網の開放及び閉結を行うためのものであり、電話回線３１からのＦＡＸデータを送信又は受信データに分離する２線−４線変換回路、送信データの受信経路への回り込みを抑制するキャンセラー回路、及びフィルタ回路等から構成される。このハイブリッドネットワーク４４には、回線網、ＣＯＤＥＣ４０、シリアルＩ／Ｆ４１及びグランドが接続されている。なお、ＣＯＤＥＣ４０との間には、送信アンプ４２が介在している。
【００５０】
ＣＯＤＥＣ４０は、ＦＡＸ受信データ及び送信データのＡ／Ｄ変換及びＤ／Ａ変換を行うためのものである。このＣＯＤＥＣ４０には、回線網、外付電話機３、ハイブリッドネットワーク４４及びシリアルＩ／Ｆ４１が、送信アンプ４２又はトーンアンプ４３を介して、接続されている。
【００５１】
なお、送信アンプ４２は、送信データのゲイン調整を行うためのものである。また、トーンアンプ４３は差動型の増幅器であり、電話回線３１の端子Ｌ１、Ｌ２に対し、差動入力になっている。
【００５２】
そして、ＣＯＤＥＣ４０に電話回線３１又は外付電話機３からトーン信号が到来すると、トーンアンプ４３→ＣＯＤＥＣ４０→シリアルＩ／Ｆ４１→絶縁部３５→モデム２０の順に流れ、ＣＯＤＥＣ４０から送信されるトーン検出信号がＣＰＵ１１により検出される。
【００５３】
リング検出回路３９は、回線網、外付電話機３及びシリアルＩ／Ｆ４１に接続されている。リング検出回路３９に電話回線３１からリング信号が到来すると、それと同じサイクルで、リング検出信号がリング検出回路３９→シリアルＩ／Ｆ４１→絶縁部３５のコンデンサａを通り、リング検出信号がＬ（ローレベル）からＨ（ハイレベル）へ（又はその逆へ）変化することにより、モデム２０を介して、ＣＰＵ１１により検出される。
【００５４】
トランジスタ４５は、電圧検出回路３４により検出される回線閉結時の回線電圧が予め定められた電圧電流特性となるように、ベース電位を変えることにより、半導体化ＤＡＡ３３の見かけ上の抵抗値を調整するためのものである。
【００５５】
シリアルＩ／Ｆ４１は、リング検出回路３９からのリング検出信号等の各信号、及びＣＯＤＥＣ４０からのＦＡＸ受信データを、絶縁部３５のコンデンサ３５ｂに対しシリアルデータに一本化しながら、電話回線３１の閉結、開放を半導体化ＤＡＡ３３に行わせるための制御信号及びＣＯＤＥＣ４０へのＦＡＸ送信データに対し、絶縁部３５のコンデンサ３５ａからのシリアル信号をそれぞれに分離するものである。
【００５６】
次に、本実施形態に係るファクシミリ装置１の特徴的制御作動である、外付電話機３がフックアップ状態であるかフックダウン状態であるかを検出するための制御を、図３及び図４に示すフローチャートに基づいて説明する。
【００５７】
因みに、図３は、外付電話機３がフックアップ状態であるかフックダウン状態であるかを検出するための制御を示すフローチャートであり、図４は図３に示すフローチャートで実行されるステップ（Ｓ３）の詳細制御フローを示すフローチャートである。
【００５８】
ファクシミリ装置１の電源が投入されると、図３に示される制御フローが起動され、先ず、内蔵されたタイマー（図示せず。）が起動される（Ｓ１）。次に、ＴＥＬ信号又はＦＡＸ信号の送受信とは無関係に公衆電話回線３２（電話回線３１）が閉結された後に公衆電話回線３２が開放され、その開放された時の回線電圧（以下、回線開放時電圧Ｖｍと記す。）が検出された後（Ｓ３）、Ｓ１にて起動されたタイマーが示す現在の時刻が計測されるとともに、その計測したタイマー時刻がＲＡＭ１４に記憶される（Ｓ５）。なお、Ｓ３の詳細は後述する。
【００５９】
そして、公衆電話回線３２の回線電圧が所定時間（本実施形態では、約１００ｍ秒）毎に検出される（Ｓ７〜Ｓ１３）。すなわち、Ｓ１にて起動されたタイマーが示す現在の時刻が計測され（Ｓ７）、その計測されたタイマー時刻とＲＡＭ１４に記憶されているタイマー時刻（Ｓ５にて計測されたタイマー時刻）とを比較することにより、前回、電圧検出回路３４により回線電圧を検出した時から前記所定時間が経過したか否かが判定される（Ｓ９）。
【００６０】
そして、前回、回線電圧を検出した時から所定時間が経過していないものと判定された場合には（Ｓ９：ＮＯ）、Ｓ１に起動されたタイマーが示す現在の時刻が、再び、計測され（Ｓ７）、一方、前回、電圧検出回路３４により回線電圧を検出した時から前記所定時間が経過したものと判定された場合には（Ｓ９：ＹＥＳ）、電圧検出回路３４により公衆電話回線３２の回線電圧が検出されるとともに（Ｓ１１）、この時のタイマー時刻がＲＡＭ１４に記憶される（Ｓ１３）。なお、以下、電圧検出回路３４により検出された回線電圧を検出回線電圧Ｖｃと記す。
【００６１】
次に、ファクシミリ回路（半導体化ＤＡＡ３３）が公衆電話回線３２を閉結したか否か、つまりファクシミリ装置１がＦＡＸデータを送受信している最中であるか否かが判定される（Ｓ１５）。
【００６２】
そして、ファクシミリ回路（半導体化ＤＡＡ３３）が公衆電話回線３２を閉結したと判定されたと判定された場合には（Ｓ１５：ＹＥＳ）、ＦＡＸデータを送受信するための処理が実行され（Ｓ１７）、ＦＡＸデータの送受信が終了したか否か、つまりファクシミリ回路が公衆電話回線３２を開放したか否かが判定される（Ｓ１９）。
【００６３】
なお、ファクシミリ回路が公衆電話回線３２を開放し、ＦＡＸデータの送受信が終了したと判定された場合には（Ｓ１９：ＹＥＳ）、Ｓ７に戻り、再び、前記所定時間毎に公衆電話回線３２の回線電圧が検出される。
【００６４】
因みに、本実施形態では、ファクシミリ回路が公衆電話回線３２を閉結したか否かの判定は、検出回線電圧Ｖｃと待機電圧値Ｖｒとの電圧差が所定の電圧差ΔＶを超えて、検出回線電圧Ｖｃが判定電圧Ｖｔより小さくなったか否かをもって判定しておらず、ＣＰＵ１１がＦＡＸデータの送受信処理を行うための指令信号を発したか否かによって判定している。
【００６５】
同様に、本実施形態では、ファクシミリ回路が公衆電話回線３２を開放したか否かの判定は、検出回線電圧Ｖｃと待機電圧値Ｖｒとの電圧差が所定の電圧差ΔＶ以下となって、検出回線電圧Ｖｃが判定電圧Ｖｔ以上となったか否かをもって判定しておらず、ＣＰＵ１１がＦＡＸデータの送受信処理の停止指令信号を発したか否かによって判定している。
【００６６】
また、ファクシミリ回路が公衆電話回線３２を開放している、つまりファクシミリ装置１がＦＡＸデータを送受信していないと判定された場合には（Ｓ１５：ＮＯ）、外付電話機３が公衆電話回線３２を閉結しているか否かを判定すべく、検出回線電圧Ｖｃが判定電圧Ｖｔより小さいか否かが判定される（Ｓ２１）。
【００６７】
そして、検出回線電圧Ｖｃが判定電圧Ｖｔ以上であると判定された場合には（Ｓ２１：ＮＯ）、外付電話機３は公衆電話回線３２を開放しているもの判定され、「ソトヅケデンワシヨウチュウ」といった旨の警告がＬＣＤ５に表示されることなく、Ｓ７に戻り、再び、前記所定時間毎に公衆電話回線３２の回線電圧が検出される。
【００６８】
一方、検出回線電圧Ｖｃが判定電圧Ｖｔより小さいと判定された場合には（Ｓ２１：ＹＥＳ）、外付電話機３が公衆電話回線３２を閉結しているおそれがあるので、検出回線電圧Ｖｃが回線開放時電圧Ｖｍと同一であるか否かが判定される（Ｓ２３）。
【００６９】
そして、検出回線電圧Ｖｃが回線開放時電圧Ｖｍと同一であると判定された場合には（Ｓ２３：ＹＥＳ）、「発明が解決しようとする課題」の欄で説明したように、「公衆電話回線３２とファクシミリ装置１及び外付電話機３との間に回線接続装置が設けられているために、ファクシミリ回路が公衆電話回線３２を開放しても回線電圧は直ぐに待機電圧Ｖｒに復帰することなく、判定電圧Ｖｔより低い中間電圧を所定時間維持した後、待機電圧Ｖｒに復帰する場合」に該当すると考えられるので、「ソトヅケデンワシヨウチュウ」といった旨の警告がＬＣＤ５に表示されることなく、Ｓ７に戻り、再び、前記所定時間毎に公衆電話回線３２の回線電圧が検出される。
【００７０】
一方、検出回線電圧Ｖｃが回線開放時電圧Ｖｍと同一でない、つまり検出回線電圧Ｖｃが回線開放時電圧Ｖｍとが異なると判定された場合には（Ｓ２３：ＮＯ）、外付電話機３が公衆電話回線３２を閉結していると考えられるので、「ソトヅケデンワシヨウチュウ」といった旨の警告がＬＣＤ５に表示される（Ｓ２５）。
【００７１】
ここで、「検出回線電圧Ｖｃが回線開放時電圧Ｖｍと同一」とは、厳密に検出回線電圧Ｖｃが回線開放時電圧Ｖｍと同一であるというものではなく、回線開放時電圧Ｖｍを含む所定範囲内に検出回線電圧Ｖｃが含まれることを意味するものである。
【００７２】
同様に、「検出回線電圧Ｖｃが回線開放時電圧Ｖｍと異なる」とは、厳密に検出回線電圧Ｖｃが回線開放時電圧Ｖｍと相違するというものではなく、回線開放時電圧Ｖｍを含む所定範囲内に検出電圧が含まれないことを意味するものである。
【００７３】
なお、回線開放時電圧Ｖｍを含む所定範囲とは、実機試験等により決定されるものであるが、例えば、回線開放時電圧Ｖｍを中心として回線開放時電圧Ｖｍの±１０％の範囲等が考えられる。
【００７４】
ところで、検出回線電圧Ｖｃが判定電圧Ｖｔより小さく、かつ、検出回線電圧Ｖｃが回線開放時電圧Ｖｍと異なる場合には（Ｓ２３：ＮＯ）、外付電話機３が公衆電話回線３２を閉結して公衆電話回線３２を使用中であると考えられ、かつ、外付電話機３とファクシミリ装置１とを同時に使用することができない。
【００７５】
そこで、ＣＰＵ１１は、外付電話機３が使用中であると判定した場合には、「ソトヅケデンワシヨウチュウ」といった旨の警告をＬＣＤ５に表示するとともに（Ｓ２５）、Ｓ２７以降の制御フローを実行して、外付電話機３の使用状態を監視し続ける。
【００７６】
すなわち、Ｓ２５にて「ソトヅケデンワシヨウチュウ」といった旨の警告がＬＣＤ５に表示されると、Ｓ７〜Ｓ１３と同様に、所定時間（本実施形態では、１００ｍｓｅｃ）毎に、公衆電話回線３２の回線電圧が検出される（Ｓ２７〜Ｓ３３）。
【００７７】
次に、Ｓ３１にて検出された検出回線電圧Ｖｃが判定電圧Ｖｔより小さいか否かが判定され（Ｓ３５）、その検出回線電圧Ｖｃが判定電圧Ｖｔより小さいと判定された場合には（Ｓ３５：ＹＥＳ）、検出回線電圧Ｖｃが回線開放時電圧Ｖｍと同一であるか否かが判定される（Ｓ３７）。
【００７８】
そして、検出回線電圧Ｖｃが回線開放時電圧Ｖｍと異なると判定された場合には（Ｓ３７：ＮＯ）、前述したように、公衆電話回線３２が外付電話機３により閉結された状態であると考えられるので、「ソトヅケデンワシヨウチュウ」といった旨の警告表示が解除されことなく、Ｓ２７に戻り、再び、所定時間毎に、公衆電話回線３２の回線電圧が検出される（Ｓ２７〜Ｓ３３）。
【００７９】
一方、その検出回線電圧Ｖｃが判定電圧Ｖｔ以上であると判定された場合（Ｓ３５：ＮＯ）、又は検出回線電圧Ｖｃが回線開放時電圧Ｖｍと同一であると判定された場合には（Ｓ３７：ＹＥＳ）、公衆電話回線３２が外付電話機３から開放された状態であると考えられるので、「ソトヅケデンワシヨウチュウ」といった旨の警告表示が解除された後（Ｓ３９）、Ｓ７に戻り、再び、所定時間毎に、公衆電話回線３２の回線電圧が電圧検出回路３４にて検出される（Ｓ７〜Ｓ１３）。
【００８０】
次に、Ｓ３にて実行される回線開放時電圧Ｖｍの検出の詳細を、図４に示すフローチャートに基づいて説明する。
回線開放時電圧Ｖｍの検出（Ｓ３）は、前述したように、ＴＥＬ信号又はＦＡＸ信号の送受信とは無関係に、ファクシミリ装置１の電源が投入された時に実行される。
【００８１】
そして、電源が投入され、かつ、内蔵のタイマーが起動されると、先ず、ファクシミリ装置１に接続された公衆電話回線３２が、プッシュフォン回線又はダイヤル回線のいずれであるかを判定する自動回線判別処理（Ｓ５３）が既に実行されたか否かが判定される（Ｓ５１）。
【００８２】
なお、本実施形態においては、自動回線判別処理（Ｓ５３）が既に実行されたか否かの判定は、プッシュフォン回線であると判定されたときにＥＥＰＲＯＭ１３に記憶されるフラグ又はダイヤル回線であると判定されたときにＥＥＰＲＯＭ１３に記憶されるフラグのいずれかが存在している場合には、自動回線判別処理（Ｓ５３）が既に実行されたものと判定され、いずれのフラグも存在した場合には、未だ自動回線判別処理（Ｓ５３）が実行されていないものと判定される。
【００８３】
そして、自動回線判別処理（Ｓ５３）が既に実行されたものと判定された場合には（Ｓ５１：ＹＥＳ）、回線開放時電圧Ｖｍを調べる処理（以下、回線開放時電圧調査処理と言う。）が終了して、Ｓ５（図３参照）が実行される。一方、未だ自動回線判別処理（Ｓ５３）が実行されていないものと判定された場合には（Ｓ５１：ＮＯ）、回線開放時電圧Ｖｍを検出するための制御フローが実行される。
【００８４】
すなわち、ＣＰＵ１１は、公衆電話回線３２を閉結して１１７や１７７等の返信が自動的にされる相手に公衆電話回線３２を接続した後（Ｓ５５、Ｓ５７）、所定時間（本実施形態では、５秒）が経過したときに公衆電話回線３２を開放するとともに（Ｓ５９）、その公衆電話回線３２を開放した時に公衆電話回線３２の回線電圧を検出する（Ｓ６１）。
【００８５】
そして、ＣＰＵ１１は、Ｓ６１にて検出された検出回線電圧Ｖｃが判定電圧Ｖｔ以上であるか否かを判定し（Ｓ６３）、検出回線電圧Ｖｃが判定電圧Ｖｔ以上であると判定した場合には（Ｓ６３：ＹＥＳ）、待機電圧値Ｖｒの値を回線開放時電圧Ｖｍとして回線開放時電圧ＶｍをＥＥＰＲＯＭ１３に記憶させ（Ｓ６５）、一方、Ｓ６１にて検出された検出回線電圧Ｖｃが判定電圧Ｖｔより小さいと判定した場合には（Ｓ６３：ＮＯ）、その検出回線電圧Ｖｃを回線開放時電圧Ｖｍの値として回線開放時電圧ＶｍをＥＥＰＲＯＭ１３に記憶させた後（Ｓ６７）、回線開放時電圧調査処理を終了させる。
【００８６】
なお、Ｓ６１にて検出された検出回線電圧Ｖｃが判定電圧Ｖｔ以上であると判定された場合には、待機電圧値Ｖｒの値を回線開放時電圧ＶｍとしてＥＥＰＲＯＭ１３に記憶され、一方、Ｓ６１にて検出された検出回線電圧Ｖｃが判定電圧Ｖｔより小さいと判定された場合には、その検出回線電圧Ｖｃを回線開放時電圧Ｖｍの値としてＥＥＰＲＯＭ１３に記憶されるのは、以下のような理由である。
【００８７】
すなわち、公衆電話回線３２が閉結状態にあるか、開放状態にあるかの判定は、原則として、検出回線電圧Ｖｃが判定電圧Ｖｔより低いか否かに基づいて判定されるが、公衆電話回線３２とファクシミリ装置１及び外付電話機３との間に回線接続装置が設けられている場合には、前述したように、ファクシミリ装置１が公衆電話回線３２を開放しても、回線電圧は直ぐに待機電圧Ｖｒに復帰することなく、判定電圧Ｖｔより低い中間電圧を所定時間維持した後、待機電圧Ｖｒに復帰する場合がある。
【００８８】
このため、回線開放時電圧Ｖｍが判定電圧Ｖｔより低い中間電圧である場合には、ファクシミリ装置１は、外付電話機３が公衆電話回線３２を開放しているのにも拘わらず、外付電話機３が公衆電話回線３２を閉結してものと誤判定してしまう。
【００８９】
しかし、回線開放時電圧Ｖｍが判定電圧Ｖｔより高い電圧である場合には、仮に、ファクシミリ回路が公衆電話回線３２を開放した後、回線電圧が、所定時間、回線開放時電圧Ｖｍに維持されても、その回線開放時電圧Ｖｍは判定電圧Ｖｔより高い電圧であるので、外付電話機３が公衆電話回線３２を開放しているのにも拘わらず、外付電話機３が公衆電話回線３２を閉結したものと誤判定されてしまうことはない。
【００９０】
したがって、回線開放時電圧Ｖｍが判定電圧Ｖｔより高い電圧である場合には、従来と同様に、検出回線電圧Ｖｃが判定電圧Ｖｔより低いか否かに基づいて、公衆電話回線３２が閉結状態であるか開放状態であるかを検出するれば十分である。つまり、回線開放時電圧Ｖｍが判定電圧Ｖｔより高い電圧である場合には、回線開放時電圧Ｖｍの値を待機電圧値Ｖｒと見なしても、外付電話機３が公衆電話回線３２を開放しているのにも拘わらず、外付電話機３が公衆電話回線３２を閉結してものと誤判定されてしまうことはない。
【００９１】
そこで、本実施形態では、回線開放時電圧調査処理において、回線開放時電圧Ｖｍが判定電圧Ｖｔより高い電圧であると判定された場合には、待機電圧値Ｖｒの値を回線開放時電圧Ｖｍとして回線開放時電圧ＶｍをＥＥＰＲＯＭ１３に記憶させている。
【００９２】
ところで、本実施形態では、回線開放時電圧調査処理時に検出した回線電圧が判定電圧Ｖｔ以上のときには回線開放時電圧Ｖｍの値を待機電圧値Ｖｒとするので、仮に、回線開放時電圧Ｖｍの値が待機電圧値Ｖｒとして記憶された場合において、図３に示すフローチャートのＳ２１において、検出回線電圧Ｖｃが判定電圧Ｖｔより小さいと判定されたときには（Ｓ２１：ＹＥＳ）、次の制御ステップ（Ｓ２３）では、必ず、検出回線電圧Ｖｃと回線開放時電圧Ｖｍとは異なると判定される（Ｓ２３：ＮＯ）。
【００９３】
したがって、本実施形態に係るファクシミリ装置１では、回線開放時電圧調査処理時に検出した回線電圧が判定電圧Ｖｔ以上の場合においては、公衆電話回線３２とファクシミリ装置１及び外付電話機３との間に回線接続装置が設けられていない場合と同様に、ファクシミリ回路が公衆電話回線３２を開放したときの検出回線電圧Ｖｃと基準電圧をなす待機電圧値Ｖｒとの電圧差が所定電圧差より小さいときには外付電話機３が公衆電話回線３２を開放しているものと判定され、一方、ファクシミリ回路が公衆電話回線３２を開放したときの検出回線電圧Ｖｃと待機電圧値Ｖｒとの電圧差が所定電圧差より大きいときに外付電話機３が公衆電話回線を閉結しているものと判定される。
【００９４】
また、本実施形態に係るファクシミリ装置１では、回線開放時電圧調査処理時に検出した回線電圧が判定電圧Ｖｔより小さい場合においては、ファクシミリ回路が公衆電話回線３２を開放したときの検出回線電圧Ｖｃと待機電圧値Ｖｒとの電圧差が所定電圧差より小さいとき、又はファクシミリ回路が公衆電話回線３２を開放したときの検出回線電圧Ｖｃが開放時回線電圧Ｖｍと同一電圧であるときには外付電話機３が公衆電話回線３２を開放しているものと判定され、一方、ファクシミリ回路が公衆電話回線３２を開放したときの検出回線電圧Ｖｃと待機電圧値Ｖｒとの電圧差が所定電圧差以上であり、かつ、ファクシミリ回路が公衆電話回線３２を開放したときの検出回線電圧Ｖｃが開放時回線電圧Ｖｍと異なるときに外付電話機３が公衆電話回線を閉結しているものと判定される。
【００９５】
なお、以上に説明した制御フローの説明からも明らかなように、本実施形態では、Ｓ５〜Ｓ２３が特許請求の範囲に記載された外付電話使用状態監視手段に相当し、Ｓ５３が特許請求の範囲に記載された回線自動判別手段に相当し、Ｓ５５〜Ｓ６７が特許請求の範囲に記載された開放電圧検出手段に相当する。
【００９６】
次に、本実施形態に係るファクシミリ装置１の特徴を説明する。
外付電話機３が公衆電話回線３２を開放しているのにも拘わらず、外付電話機３が公衆電話回線３２を閉結してものと誤判定してしまう原因は、前述のごとく、ファクシミリ回路が公衆電話回線３２を開放しても、回線電圧が判定電圧Ｖｔにより低い中間電圧に保持されるためである。
【００９７】
これに対して、本実施形態では、開放時回線電圧Ｖｍが判定電圧Ｖｔにより低い中間電圧に保持される場合においては、検出回線電圧Ｖｃが判定電圧Ｖｔより低いときであっても、ファクシミリ回路が公衆電話回線３２を開放したときの検出回線電圧Ｖｃが開放時回線電圧Ｖｍと同一電圧であるときに外付電話機３が公衆電話回線３２を開放していると判定するので、外付電話機３が公衆電話回線３２を開放しているのにも拘わらず、外付電話機３が公衆電話回線３２を閉結してものと誤判定してしまうことを未然に防止できる。
【００９８】
ところで、外付電話機３とファクシミリ装置１（ファクシミリ回路）とは、互いに公衆電話回線３２に対して並列に接続されるので、外付電話機３とファクシミリ装置１とを同時に公衆電話回線３２に接続することはできない。
【００９９】
このため、本実施形態では、外付電話機３が公衆電話回線３２を閉結している間は、「ソトヅケデンワシヨウチュウ」といった旨の警告をＬＣＤ５に表示することにより、外付電話機３の使用中に他のユーザが誤ってファクシミリ装置１を使用してしまうことを防止し、一方、外付電話機３が公衆電話回線３２を開放したときには、「ソトヅケデンワシヨウチュウ」といった旨の警告をＬＣＤ５から削除することにより、ファクシミリ装置１が使用可能状態にあることをユーザに伝達している。
【０１００】
しかし、公衆電話回線３２とファクシミリ装置１及び外付電話機３との間に回線接続装置が設けられている場合には、ファクシミリ回路が公衆電話回線３２を開放しても、回線電圧は直ぐに待機電圧Ｖｒに復帰することなく、判定電圧Ｖｔより低い中間電圧を所定時間維持した後、待機電圧Ｖｒに復帰する場合があるように、外付電話機３が公衆電話回線３２を開放しても、回線電圧は直ぐに待機電圧Ｖｒに復帰することなく、判定電圧Ｖｔより低い中間電圧を所定時間維持した後、待機電圧Ｖｒに復帰する場合がある。
【０１０１】
そして、このような場合には、外付電話機３が公衆電話回線３２を開放しても、「ソトヅケデンワシヨウチュウ」といった旨の警告がＬＣＤ５に表示され続けるので、ユーザは、ファクシミリ装置１が故障してしまったものと誤認してしまう。
【０１０２】
これに対して、本実施形態に係るファクシミリ装置１では、開放時回線電圧Ｖｍが判定電圧Ｖｔにより低い中間電圧に保持される場合においては、検出回線電圧Ｖｃが判定電圧Ｖｔより小さいときであっても、検出回線電圧Ｖｃが開放時回線電圧Ｖｍと同一電圧であるときには、外付電話機３が公衆電話回線３２を開放していると判定するので、外付電話機３が公衆電話回線３２を開放しているのにも拘わらず、外付電話機３が公衆電話回線３２を閉結してものと誤判定してしまうことを未然に防止できる。
【０１０３】
延いては、外付電話機３が公衆電話回線３２を開放しても、「ソトヅケデンワシヨウチュウ」といった旨の警告がＬＣＤ５に表示され続けることを未然に防止できるので、ファクシミリ装置１が故障してしまったものとユーザが誤認してしまうことを未然に防止できる。
【０１０４】
ところで、公衆電話回線には、いわゆるプッシュフォン回線及びダイヤル回線等があり、回線の種類によっては、送信されるデータ形式が異なる。そこで、通常、ファクシミリ装置を公衆電話回線に接続する際には、いずれの種類の電話回線であるかを調べた上で接続する必要がある。
【０１０５】
そして、いずれの種類の公衆電話回線であるかを調べる際に、外付電話機が公衆電話回線を閉結していると、いずれの種類の公衆電話回線であるかを調べることができないので、いずれの種類の公衆電話回線であるかを調べる際には、外付電話機が公衆電話回線を開放していることを確認した上でする必要がある。同様に、回線開放時電圧Ｖｍを検出する際に、外付電話機が公衆電話回線を閉結していると、正確な開放時回線電圧を検出することができない。
【０１０６】
これに対して、本実施形態では、ファクシミリ回路に接続される公衆電話回線の種類を自動判別する際に、併せて回線開放時電圧Ｖｍを検出するので、外付電話機３が公衆電話回線３２を開放しているときに、開放時回線電圧Ｖｍを検出することができる。したがって、正確な開放時回線電圧Ｖｍを検出することができるので、外付電話機３が公衆電話回線３２を閉結しているのか又は開放しているのかを確実に判定することができる。
【０１０７】
（第２実施形態）
本実施形態は、外付電話機３が公衆電話回線３２を閉結しているときの回線電圧と回線開放時電圧Ｖｍとが、仮に同一である場合であっても、外付電話機３が公衆電話回線３２を閉結している否かを確実に判定することができるようにしたものである。
【０１０８】
以下、本実施形態の詳細を説明する。なお、本実施形態に係るファクシミリ装置１の構成は、第１実施形態に係るファクシミリ装置１と同じであり、その相違点は、外付電話機３がフックアップ状態であるかフックダウン状態であるかを検出するための制御フロー、及び回線開放時電圧調査処理のみであるので、以下、その相違点についてのみ説明する。
【０１０９】
図５及び図６は、本実施形態に係るファクシミリ装置１における、外付電話機３がフックアップ状態であるかフックダウン状態であるかを検出するための制御フローを示すフローチャートである。
【０１１０】
ファクシミリ装置１の電源が投入されると、図５及び図６に示される制御フローが起動され、先ず、内蔵されたタイマーが起動される（Ｓ１０１）。次に、回線開放時電圧調査処理が実行された後（Ｓ１０３）、Ｓ１０１にて起動されたタイマーが示す現在の時刻が計測されるとともに、その計測したタイマー時刻がＲＡＭ１４に記憶される（Ｓ１０５）。なお、本実施形態における回線開放時電圧調査処理の詳細は後述する。
【０１１１】
そして、第１実施形態に係るファクシミリ装置１と同様に、公衆電話回線３２の回線電圧が所定時間（本実施形態では、約１００ｍ秒）毎に検出される（Ｓ１０７〜Ｓ１１３）。すなわち、Ｓ１０１にて起動されたタイマーが示す現在の時刻が計測され（Ｓ１０７）、その計測されたタイマー時刻とＲＡＭ１４に記憶されているタイマー時刻（Ｓ１０５にて計測されたタイマー時刻）とを比較することにより、前回、回線電圧を検出した時から前記所定時間が経過したか否かが判定される（Ｓ１０９）。
【０１１２】
そして、前回、回線電圧を検出した時から所定時間が経過していないものと判定された場合には（Ｓ１０９：ＮＯ）、Ｓ１０１に起動されたタイマーが示す現在の時刻が、再び、計測され（Ｓ１０７）、一方、前回、回線電圧を検出した時から前記所定時間が経過したものと判定された場合には（Ｓ１０９：ＹＥＳ）、公衆電話回線３２の回線電圧が検出されるとともに（Ｓ１１１）、この時のタイマー時刻がＲＡＭ１４に記憶される（Ｓ１１３）。
【０１１３】
次に、ファクシミリ回路（半導体化ＤＡＡ３３）が公衆電話回線３２を閉結したか否かが判定され（Ｓ１１５）、ファクシミリ回路が公衆電話回線３２を閉結したと判定された場合には（Ｓ１１５：ＹＥＳ）、ＦＡＸデータを送受信するための処理が実行され（Ｓ１１７）、ＦＡＸデータの送受信が終了したか否かが判定される（Ｓ１１９）。
【０１１４】
なお、ファクシミリ回路が公衆電話回線３２を開放し、ＦＡＸデータの送受信が終了したと判定された場合には（Ｓ１１９：ＹＥＳ）、Ｓ１０７に戻り、再び、前記所定時間毎に公衆電話回線３２の回線電圧が検出される。
【０１１５】
また、ファクシミリ装置１がＦＡＸデータを送受信していないと判定された場合には（Ｓ１１５：ＮＯ）、外付電話機３が公衆電話回線３２を閉結しているか否かを判定すべく、検出回線電圧Ｖｃが判定電圧Ｖｔより小さいか否かが判定される（Ｓ１２１）。
【０１１６】
そして、検出回線電圧Ｖｃが判定電圧Ｖｔ以上であると判定された場合には（Ｓ１２１：ＮＯ）、外付電話機３は公衆電話回線３２を開放しているもの判定され、「ソトヅケデンワシヨウチュウ」といった旨の警告がＬＣＤ５に表示されることなく、Ｓ１０７に戻り、再び、前記所定時間毎に公衆電話回線３２の回線電圧が検出される。
【０１１７】
一方、検出回線電圧Ｖｃが判定電圧Ｖｔより小さいと判定された場合には（Ｓ１２１：ＹＥＳ）、外付電話機３が公衆電話回線３２を閉結しているおそれがあるので、検出回線電圧Ｖｃが回線開放時電圧Ｖｍと同一であるか否かが判定され（Ｓ１２３）、検出回線電圧Ｖｃが回線開放時電圧Ｖｍと同一でないと判定された場合には（Ｓ１２３：ＮＯ）、外付電話機３が公衆電話回線３２を閉結していると考えられるので、「ソトヅケデンワシヨウチュウ」といった旨の警告がＬＣＤ５に表示される（Ｓ１２５）。
【０１１８】
ここで、「検出回線電圧Ｖｃが回線開放時電圧Ｖｍと同一である」及び「検出回線電圧Ｖｃが回線開放時電圧Ｖｍと同一でない」とは、第１実施形態に係るファクシミリ装置１と同意義である。
【０１１９】
次に、Ｓ１０７〜Ｓ１１３と同様に、所定時間（本実施形態では、１００ｍｓｅｃ）毎に、公衆電話回線３２の回線電圧が検出される（Ｓ１２７〜Ｓ１３３）。そして、Ｓ１３１にて検出された検出回線電圧Ｖｃが判定電圧Ｖｔより小さいか否かが判定され（Ｓ１３５）、その検出回線電圧Ｖｃが判定電圧Ｖｔより小さいと判定された場合には（Ｓ１３５：ＹＥＳ）、検出回線電圧Ｖｃが回線開放時電圧Ｖｍと同一であるか否かが判定される（Ｓ１３７）。
【０１２０】
また、検出回線電圧Ｖｃが回線開放時電圧Ｖｍと異なると判定された場合には（Ｓ１３７：ＮＯ）、公衆電話回線３２が外付電話機３により閉結された状態であると考えられるので、「ソトヅケデンワシヨウチュウ」といった旨の警告表示が解除されことなく、Ｓ１２７に戻り、再び、所定時間毎に、公衆電話回線３２の回線電圧が検出される（Ｓ１２７〜Ｓ１３３）。
【０１２１】
一方、その検出回線電圧Ｖｃが判定電圧Ｖｔ以上であると判定された場合（Ｓ１３５：ＮＯ）、又は検出回線電圧Ｖｃが回線開放時電圧Ｖｍと同一であると判定された場合には（Ｓ１３７：ＹＥＳ）、公衆電話回線３２が外付電話機３から開放された状態であると考えられるので、「ソトヅケデンワシヨウチュウ」といった旨の警告表示が解除された後（Ｓ１３９）、Ｓ１０７に戻り、再び、所定時間毎に、公衆電話回線３２の回線電圧が電圧検出回路３４にて検出される（Ｓ１０７〜Ｓ１１３）。
【０１２２】
また、Ｓ１２３にて検出回線電圧Ｖｃが回線開放時電圧Ｖｍと同一であると判定された場合には（Ｓ１２３：ＹＥＳ）、Ｓ１０１にて起動されたタイマーが示す現在の時刻が計測されるとともに、その計測されたタイマー時刻がＲＡＭ１４に記憶される（Ｓ１４１）。そして、再び、タイマー時刻が計測され（Ｓ１４３）、その計測されたタイマー時刻とＲＡＭ１４に記憶されているタイマー時刻とを比較することにより、検出回線電圧Ｖｃが回線開放時電圧Ｖｍと同一であることが検出された時から所定時間Ｔｍが経過したか否かが判定される（Ｓ１４５）。
【０１２３】
なお、所定時間Ｔｍとは、ファクシミリ回路が公衆電話回線３２を開放した時を基準として検出し始めた回線電圧と待機電圧値Ｖｒとの電圧差が、待機電圧値Ｖｒと判定電圧Ｖｔとの電圧差より小さくなるまでの所要時間以上の所定時間を言い、具体的には、Ｓ１０３にて検出される回線開放時電圧Ｖｍが維持される時間以上の所定時間である。
【０１２４】
また、本実施形態では、約１００ｍｓｅｃ毎にタイマー時刻を計測しているので、Ｓ１４１にてタイマー時刻を計測するタイミングは、ファクシミリ回路が公衆電話回線３２を開放した時とほぼ同一時刻と見なすことができる。このため、Ｓ１４５では、ファクシミリ回路が公衆電話回線３２を開放した時から所定時間Ｔｍが経過したか否かを判定していることと同義となる。
【０１２５】
そして、ファクシミリ回路が公衆電話回線３２を開放した時から所定時間Ｔｍが経過していないと判定された場合には（Ｓ１４５：ＮＯ）、検出回線電圧Ｖｃが回線開放時電圧Ｖｍと同一であるか否かが判定される（Ｓ１４７）。なお、検出回線電圧Ｖｃが回線開放時電圧Ｖｍと同一であるか否かの判断基準は、第１実施形態に係るファクシミリ装置１と同じである。
【０１２６】
このとき、検出回線電圧Ｖｃが回線開放時電圧Ｖｍと同一でないと判定された場合には（Ｓ１４７：ＮＯ）、Ｓ１０７に戻り、再び、所定時間毎に、公衆電話回線３２の回線電圧が電圧検出回路３４にて検出される（Ｓ１０７〜Ｓ１１３）、一方、検出回線電圧Ｖｃが回線開放時電圧Ｖｍと同一であると判定された場合には（Ｓ１４７：ＹＥＳ）、Ｓ１４３に戻り、再びタイマー時刻が計測される（Ｓ１４３）。
【０１２７】
なお、Ｓ１４７は、ファクシミリ回路が公衆電話回線３２を開放したときに現れる回線電圧が、所定時間Ｔｍ、回線開放時電圧Ｖｍに維持されているか否かを監視する制御ステップである。このため、所定時間が経過する前に、検出回線電圧Ｖｃが回線開放時電圧Ｖｍと異なることとなった場合には、公衆電話回線３２とファクシミリ装置１及び外付電話機３との間に接続された回線接続装置の影響が消失したものと考えることができる。
【０１２８】
そこで、本実施形態では、所定時間が経過する前に、検出回線電圧Ｖｃが回線開放時電圧Ｖｍと同一でないと判定された場合には（Ｓ１４７：ＮＯ）、制御フローをＳ１０７に戻すことにより、Ｓ１２１又はＳ１２３にて外付電話機３が公衆電話回線３２を本当に閉結しているか否かを判定している。
【０１２９】
また、ファクシミリ回路が公衆電話回線３２を開放した時から所定時間Ｔｍが経過したものと判定された場合には（Ｓ１４５：ＹＥＳ）、検出回線電圧Ｖｃが判定電圧Ｖｔより小さいか否かが判定され（Ｓ１５１）、検出回線電圧Ｖｃが判定電圧Ｖｔ以上であると判定された場合には（Ｓ１５１：ＮＯ）、Ｓ１０７に戻り、再び、所定時間毎に、公衆電話回線３２の回線電圧が電圧検出回路３４にて検出される（Ｓ１０７〜Ｓ１１３）。
【０１３０】
一方、検出回線電圧Ｖｃが判定電圧Ｖｔより小さいと判定された場合には（Ｓ１５１：ＹＥＳ）、外付電話機３が公衆電話回線３２を閉結していると考えられるので、「ソトヅケデンワシヨウチュウ」といった旨の警告がＬＣＤ５に表示される（Ｓ１５３）。
【０１３１】
次に、現在のタイマー時刻が計測されるとともに、その計測時刻がＲＡＭ１４に記憶された後（Ｓ１５５）、Ｓ１０７〜Ｓ１１３と同様に、所定時間（本実施形態では、１００ｍｓｅｃ）毎に、公衆電話回線３２の回線電圧が検出される（Ｓ１５７〜Ｓ１６３）。
【０１３２】
このとき、Ｓ１６３にて検出された検出回線電圧Ｖｃが判定電圧Ｖｔより小さいか否かが判定され（Ｓ１６５）、その検出回線電圧Ｖｃが判定電圧Ｖｔ以上であると判定された場合には（Ｓ１６５：ＮＯ）、公衆電話回線３２が外付電話機３から開放された状態であると考えられるので、「ソトヅケデンワシヨウチュウ」といった旨の警告表示が解除された後（Ｓ１６７）、Ｓ１０７に戻り、再び、所定時間毎に、公衆電話回線３２の回線電圧が電圧検出回路３４にて検出される（Ｓ１０７〜Ｓ１１３）。
【０１３３】
一方、検出回線電圧Ｖｃが判定電圧Ｖｔより小さいと判定された場合には（Ｓ１６５：ＹＥＳ）、公衆電話回線３２が外付電話機３により閉結されたままの状態であると考えられるので、「ソトヅケデンワシヨウチュウ」といった旨の警告表示が解除されことなく、Ｓ１５７に戻り、再び、所定時間毎に、公衆電話回線３２の回線電圧が検出される（Ｓ１５７〜Ｓ１６３）。
【０１３４】
次に、本実施形態における回線開放時電圧調査処理の詳細を、図７に示すフローチャートに基づいて説明する。
回線開放時電圧Ｖｍの検出（Ｓ１０３）は、前述したように、ＴＥＬ信号又はＦＡＸ信号の送受信とは無関係に、ファクシミリ装置１の電源が投入された時に実行される。
【０１３５】
そして、電源が投入され、かつ、内蔵のタイマーが起動されると、先ず、ファクシミリ装置１に接続された公衆電話回線３２が、プッシュフォン回線又はダイヤル回線のいずれであるかを判定する自動回線判別処理（Ｓ２０３）が既に実行されたか否かが判定される（Ｓ２０１）。
【０１３６】
なお、本実施形態においても第１実施形態と同様に、自動回線判別処理（Ｓ２０３）が既に実行されたか否かの判定は、プッシュフォン回線であると判定されたときにＥＥＰＲＯＭ１３に記憶されるフラグ又はダイヤル回線であると判定されたときにＥＥＰＲＯＭ１３に記憶されるフラグのいずれかが存在している場合には、自動回線判別処理（Ｓ２０３）が既に実行されたものと判定され、いずれのフラグも存在した場合には、未だ自動回線判別処理（Ｓ２０３）が実行されていないものと判定される。
【０１３７】
そして、自動回線判別処理（Ｓ２０３）が既に実行されたものと判定された場合には（Ｓ２０１：ＹＥＳ）、回線開放時電圧調査処理が終了して、Ｓ１０３（図５参照）が実行される。一方、未だ自動回線判別処理（Ｓ２０３）が実行されていないものと判定された場合には（Ｓ２０１：ＮＯ）、回線開放時電圧Ｖｍを検出するための制御フローが実行される。
【０１３８】
すなわち、ＣＰＵ１１は、公衆電話回線３２を閉結して１１７や１７７等の返信が自動的にされる相手に公衆電話回線３２を接続した後（Ｓ２０５、Ｓ２０７）、所定時間（本実施形態では、５秒）が経過したときに公衆電話回線３２を開放するとともに（Ｓ２０９）、その公衆電話回線３２を開放した時に公衆電話回線３２の回線電圧を検出する（Ｓ２１１）。
【０１３９】
そして、Ｓ２１１にて検出された検出回線電圧Ｖｃが判定電圧Ｖｔ以上であるか否かが判定され（Ｓ２１３）、検出回線電圧Ｖｃが判定電圧Ｖｔ以上であると判定された場合には（Ｓ２１３：ＹＥＳ）、待機電圧値Ｖｒの値を回線開放時電圧Ｖｍとして回線開放時電圧ＶｍがＥＥＰＲＯＭ１３に記憶され、かつ、所定時間Ｔｍとして０秒がＥＥＰＲＯＭ１３に記憶される（Ｓ２１４）。
【０１４０】
なお、Ｓ２１１にて検出された検出回線電圧Ｖｃが判定電圧Ｖｔ以上であると判定された場合に、待機電圧値Ｖｒの値を回線開放時電圧ＶｍとしてＥＥＰＲＯＭ１３に記憶するのは、第１実施形態に係るファクシミリ装置１と同様な理由である。
【０１４１】
一方、Ｓ２１１にて検出された検出回線電圧Ｖｃが判定電圧Ｖｔより小さいと判定された場合には（Ｓ２１３：ＮＯ）、タイマー時刻が計測されるとともに、その計測したタイマー時刻Ｔ２がＲＡＭ１４に記憶される（Ｓ２１５）。そして、回線開放時電圧Ｖｍの初期値としてＳ２１１にて検出された検出回線電圧ＶｃがＲＡＭ１４に記憶されるとともに、所定時間Ｔｍの初期値として０秒がＲＡＭに記憶される（Ｓ２１７）。
【０１４２】
次に、再び、タイマー時刻が計測されるとともに、その計測したタイマー時刻Ｔ１がＲＡＭ１４に記憶され（Ｓ２１９）、Ｓ２１９にて記憶されたタイマー時刻Ｔ１から所定時間（本実施形態では、１００ｍｓｅｃ）が経過したか否かが判定される（Ｓ２２１、Ｓ２２３）。
【０１４３】
そして、Ｓ２１９にて記憶されたタイマー時刻Ｔ１から所定時間Δｔ（本実施形態では、１００ｍｓｅｃ）が経過したと判定された場合には（Ｓ２２３：ＹＥＳ）、ＲＡＭ１４に記憶されている所定時間Ｔｍの値に所定時間Δｔを加えた値が、所定時間Ｔｍとして新たにＲＡＭ１４に記憶された後（Ｓ２２５）、公衆電話回線３２の回線電圧が検出される（Ｓ２２７）。
【０１４４】
次に、Ｓ２２７に検出された検出回線電圧Ｖｃが待機電圧値Ｖｒと同一であるか否かが判定され（Ｓ２２９）、検出回線電圧Ｖｃが待機電圧値Ｖｒと同一であると判定された場合には（Ｓ２２９：ＹＥＳ）、Ｓ２２５で更新された所定時間Ｔｍの値が確定された所定時間ＴｍとしてＥＥＰＲＯＭ１３に記憶され、かつ、Ｓ２１７にてＲＡＭ１４に記憶された検出回線電圧ＶｃがＥＥＰＲＯＭ１３に記憶された後（Ｓ２３１）、回線開放時電圧調査処理が終了する。
【０１４５】
なお、検出回線電圧Ｖｃが待機電圧値Ｖｒと同一であるか否かの判定は、本実施形態では、待機電圧値Ｖｒを含む所定範囲内に検出回線電圧Ｖｃが含まれているか否かを基準判断され、待機電圧値Ｖｒを含む所定範囲とは、例えば、待機電圧値Ｖｒを中心として待機電圧値Ｖｒの±２０％の範囲等が考えられる。
【０１４６】
一方、Ｓ２２７に検出された検出回線電圧Ｖｃが待機電圧値Ｖｒと同一でないと判定された場合には（Ｓ２２９：ＮＯ）、Ｓ２２７にて検出された検出回線電圧Ｖｃが、回線開放時電圧Ｖｍとして新たにＲＡＭ１４に記憶された後（Ｓ２３３）、Ｓ２１５にて記憶されたタイマー時刻Ｔ２から所定時間Δｔ２が経過したか否かが判定される（Ｓ２３５）。
【０１４７】
そして、Ｓ２１５にて記憶されたタイマー時刻Ｔ２から所定時間Δｔ２が経過していないと判定された場合には（Ｓ２３５：ＮＯ）、Ｓ２１９に戻り、一方、Ｓ２１５にて記憶されたタイマー時刻Ｔ２から所定時間Δｔ２が経過したと判定された場合には（Ｓ２３５：ＹＥＳ）、Ｓ２３３で更新された回線開放時電圧Ｖｍの値が確定した回線開放時電圧ＶｍとしてＥＰＲＯＭ１３に記憶され、かつ、Ｓ２２５で更新された所定時間Ｔｍの値が確定された所定時間ＴｍとしてＥＥＰＲＯＭ１３に記憶された後（Ｓ２３７）、回線開放時電圧調査処理が終了する。
【０１４８】
ところで、本実施形態においても第１実施形態と同様に、回線開放時電圧調査処理時に検出した回線電圧が判定電圧Ｖｔ以上のときには回線開放時電圧Ｖｍの値を待機電圧値Ｖｒとするので、仮に、回線開放時電圧Ｖｍの値が待機電圧値Ｖｒとして記憶された場合において、図５に示すフローチャートのＳ１２１において、検出回線電圧Ｖｃが判定電圧Ｖｔより小さいと判定されたときには（Ｓ１２１：ＹＥＳ）、次の制御ステップ（Ｓ１２３）では、必ず、検出回線電圧Ｖｃと回線開放時電圧Ｖｍとは異なると判定される（Ｓ１２３：ＮＯ）。
【０１４９】
したがって、本実施形態に係るファクシミリ装置１では、回線開放時電圧調査処理時に検出した回線電圧が判定電圧Ｖｔ以上の場合においては、公衆電話回線３２とファクシミリ装置１及び外付電話機３との間に回線接続装置が設けられていない場合と同様に、ファクシミリ回路が公衆電話回線３２を開放したときの検出回線電圧Ｖｃと基準電圧をなす待機電圧値Ｖｒとの電圧差が所定電圧差より小さいときには外付電話機３が公衆電話回線３２を開放しているものと判定され、一方、ファクシミリ回路が公衆電話回線３２を開放したときの検出回線電圧Ｖｃと待機電圧値Ｖｒとの電圧差が所定電圧差より大きいときに外付電話機３が公衆電話回線を閉結しているものと判定される。
【０１５０】
また、本実施形態に係るファクシミリ装置１では、回線開放時電圧調査処理時に検出した回線電圧が判定電圧Ｖｔより小さい場合においては、ファクシミリ回路が公衆電話回線３２を開放したときの検出回線電圧Ｖｃと待機電圧値Ｖｒとの電圧差が所定電圧差より小さいときには外付電話機３が公衆電話回線３２を開放しているものと判定され、一方、ファクシミリ回路が公衆電話回線３２を開放したときの検出回線電圧Ｖｃと待機電圧値Ｖｒとの電圧差が所定電圧差以上であり、かつ、ファクシミリ回路が公衆電話回線３２を開放したときの検出回線電圧Ｖｃが開放時回線電圧Ｖｍと異なるときに外付電話機３が公衆電話回線を閉結しているものと判定される。
【０１５１】
さらに、本実施形態に係るファクシミリ装置１では、回線開放時電圧調査処理時に検出した回線電圧が判定電圧Ｖｔより小さい場合においては、ファクシミリ回路が公衆電話回線３２を開放したときの検出回線電圧Ｖｃが開放時回線電圧Ｖｍと同一電圧であるときには、ファクシミリ回路が公衆電話回線３２を開放した時から所定時間Ｔｍが経過したときの検出回線電圧Ｖｃと待機電圧値Ｖｒとの電圧差が所定電圧差より小さいときに外付電話機３が公衆電話回線３２を開放していると判定され、一方、ファクシミリ回路が公衆電話回線を開放した時から所定時間Ｔｍが経過したときの検出回線電圧Ｖｃと待機電圧値Ｖｒとの電圧差が所定電圧差以上のときに外付電話機３が公衆電話回線を閉結していると判定される。
【０１５２】
なお、以上に説明した制御フローの説明からも明らかなように、本実施形態では、Ｓ１０５〜Ｓ１２３及びＳ１４１〜Ｓ１５１が特許請求の範囲に記載された外付電話使用状態監視手段に相当し、Ｓ２０３が特許請求の範囲に記載された回線自動判別手段に相当し、Ｓ２０５〜Ｓ２３７が特許請求の範囲に記載された開放電圧検出手段に相当する。
【０１５３】
次に、本実施形態に係るファクシミリ装置１の特徴を説明する。
外付電話機３が公衆電話回線３２を開放しているのにも拘わらず、外付電話機３が公衆電話回線３２を閉結してものと誤判定してしまう原因は、前述のごとく、ファクシミリ回路が公衆電話回線３２を開放しても、回線電圧が判定電圧Ｖｔにより低い中間電圧に保持されるためである。
【０１５４】
これに対して、第１実施形態では、開放時回線電圧Ｖｍが判定電圧Ｖｔにより低い中間電圧に保持される場合においては、検出回線電圧Ｖｃが判定電圧Ｖｔより低いときであっても、ファクシミリ回路が公衆電話回線３２を開放したときの検出回線電圧Ｖｃが開放時回線電圧Ｖｍと同一電圧であるときに外付電話機３が公衆電話回線３２を開放していると判定したが、外付電話機３が公衆電話回線３２を閉結しているときの回線電圧と回線開放時電圧Ｖｍとが、仮に同一である場合には、外付電話機３が公衆電話回線３２を閉結してものと誤判定してしまう。
【０１５５】
しかし、本実施形態では、回線開放時電圧調査処理時に検出した回線電圧が判定電圧Ｖｔより小さい場合においては、ファクシミリ回路が公衆電話回線３２を開放したときの検出回線電圧Ｖｃが開放時回線電圧Ｖｍと同一電圧であるときには、ファクシミリ回路が公衆電話回線３２を開放した時から所定時間Ｔｍが経過したときに、検出回線電圧Ｖｃと判定電圧Ｖｔとを比較して、外付電話機３が公衆電話回線を閉結しているか否かを判定するので、仮に、外付電話機３が公衆電話回線３２を閉結しているときの回線電圧と回線開放時電圧Ｖｍとが同一であっても、外付電話機３が公衆電話回線３２を開放しているのにも拘わらず、外付電話機３が公衆電話回線３２を閉結してものと誤判定してしまうことを未然に防止できる。
【０１５６】
なお、本実施形態においても、外付電話機３が確実に公衆電話回線３２を閉結していると判定された後、つまり「ソトヅケデンワシヨウチュウ」といった旨の警告がＬＣＤ５に表示された後も、検出回線電圧Ｖｃが判定電圧Ｖｔより小さいときであって、かつ、検出回線電圧Ｖｃが開放時回線電圧Ｖｍと同一電圧であるときには、外付電話機３が公衆電話回線３２を開放していると判定するので、外付電話機３が公衆電話回線３２を開放しても、「ソトヅケデンワシヨウチュウ」といった旨の警告がＬＣＤ５に表示され続けることを未然に防止できる。
【０１５７】
ところで、回線接続器は、前述のごとく、ファクシミリ回路が公衆電話回線を開放したときに、所定時間だけ中間電圧を維持する。
したがって、本実施形態のごとく、所定時間Ｔｍとして、ファクシミリ回路が公衆電話回線３２を開放した時を基準として検出し始めた回線電圧と待機電圧値Ｖｒとの電圧差が、待機電圧値Ｖｒと判定電圧Ｖｔとの電圧差より小さくなるまでの所要時間以上の所定時間を採用すれば、外付電話機が公衆電話回線を閉結しているのか又は開放しているのかを確実に判定することができる。
【０１５８】
また、ファクシミリ回路に接続される公衆電話回線の種類を自動判別する際に、併せて回線開放時電圧Ｖｍを検出するので、外付電話機３が公衆電話回線３２を開放しているときに、開放時回線電圧Ｖｍを検出することができる。したがって、正確な開放時回線電圧Ｖｍを検出することができるので、外付電話機３が公衆電話回線３２を閉結しているのか又は開放しているのかを確実に判定することができる。
【０１５９】
（その他の実施形態）
上述の実施形態では、ファクシミリ回路が公衆電話回線３２を閉結したか否かの判定は、ＣＰＵ１１がＦＡＸデータの送受信処理を行うための指令信号を発したか否かによって判定したが、本発明はこれに限定されるものではなく、検出回線電圧Ｖｃと待機電圧値Ｖｒとの電圧差が所定の電圧差ΔＶを超えて、検出回線電圧Ｖｃが判定電圧Ｖｔより小さくなったか否かをもって判定してもよい。
【０１６０】
また、上述の実施形態では、外付電話機３を接続するための外付電話端子Ｔ１、Ｔ２を有するファクシミリ装置であったが、本発明はこれに限定されるものではなく、外付電話端子Ｔ１、Ｔ２を有しておらず、外付けの分配機等で公衆電話回線３２を分配するファクシミリ装置にも適用することができる。
【０１６１】
また、上述の実施形態では、ファクシミリ装置１自身が、送信された音声信号を再生するスピーカと通話者が発する音声をピックアップするマイクロフォン等とが一体化された送受話器（ハンドセット）を有し、この送受話器を介して、いわゆる電話をすることができるものであってもよい。
【０１６２】
また、本発明は、特許請求の範囲に記載された発明の趣旨に合致するものであればよく、上述の実施形態に限定されるものではない。
【図面の簡単な説明】
【０１６３】
【図１】本発明の実施形態に係るファクシミリ装置１の電気的構成を示したブロック図である。
【図２】本発明の実施形態に係るファクシミリ装置１の回線Ｉ／Ｆ部１９のブロック図である。
【図３】本発明の第１実施形態に係るファクシミリ装置１における、外付電話機３がフックアップ状態であるかフックダウン状態であるかを検出するための制御を示すフローチャートである。
【図４】本発明の第１実施形態に係るファクシミリ装置１における、回線開放時電圧調査処理を示すフローチャートである。
【図５】本発明の第２実施形態に係るファクシミリ装置１における、外付電話機３がフックアップ状態であるかフックダウン状態であるかを検出するための制御を示すフローチャートである。
【図６】本発明の第２実施形態に係るファクシミリ装置１における、外付電話機３がフックアップ状態であるかフックダウン状態であるかを検出するための制御を示すフローチャートである。
【図７】本発明の第２実施形態に係るファクシミリ装置１における、回線開放時電圧調査処理を示すフローチャートである。
【図８】公衆電話回線とファクシミリ装置及び外付電話機との間に回線接続装置が設けられていない場合の電圧変化を示すグラフである。
【図９】公衆電話回線とファクシミリ装置及び外付電話機との間に回線接続装置が設けられている場合の電圧変化を示すグラフである。
【符号の説明】
【０１６４】
１…ファクシミリ装置、３…外付電話機、４…操作パネル、
１３ａ…定常電圧値メモリ、１３ｂ…閾値メモリ、１４ａ…回線電圧値メモリ、
１４ｂ…判定値メモリ、１５…画像メモリ、１９…回線Ｉ／Ｆ部、２０…モデム、
２１…バッファ、２２…スキャナ、２３…復号化部、２４…復号化部、
２５…プリンタ、２７…アンプ、２８…スピーカ、２９…交換機、
３０…バスライン、３１…電話回線、３２…公衆電話回線、３４…電圧検出回路、
３５…絶縁部、３５ａ…コンデンサ、３５ｂ…コンデンサ、３６…ＣＭＬリレー、
３７…整流器、３９…リング検出回路、４２…送信アンプ、４３…トーンアンプ、
４４…ハイブリットネットワーク、４４…ハイブリッドネットワーク、
４５…トランジスタ、４６…トランス。
【図１】
2006270743.tif 000003
【図２】
2006270743.tif 000004
【図３】
2006270743.tif 000005
【図４】
2006270743.tif 000006
【図５】
2006270743.tif 000007
【図６】
2006270743.tif 000008
【図７】
2006270743.tif 000009
【図８】
2006270743.tif 000010
【図９】
2006270743.tif 000011